(57)【特許請求の範囲】
【請求項１】
屋根を構成する屋根フレームに対して太陽光発電パネルを直接取付けるのに用いられる太陽光発電パネル取付用金具であって、
前記屋根フレームに固定可能な屋根固定部と、
前記太陽光発電パネルの縁部に嵌合係止可能なパネル嵌合部とを有し、
前記屋根フレームの上面に当接可能な上面当接部と、
該上面当接部の端部から前記屋根フレームの内側位置に沿って下方へ延びる段差部と、
該段差部の下端部から前記上面当接部とは反対の側へ延びる下部張出部とを有する金具本体を有し、
前記屋根固定部が、前記上面当接部に設けられ、
前記パネル嵌合部が、前記下部張出部の上面側に設けられると共に、
前記パネル嵌合部が、太陽光発電パネルの縁部を、前記上面当接部とは反対の側には外れないように嵌合係止するものとされたことを特徴とする太陽光発電パネル取付用金具。
【請求項２】
前記屋根固定部と前記パネル嵌合部とを一体に有することを特徴とする請求項１に記載の太陽光発電パネル取付用金具。
【請求項３】
前記パネル嵌合部と、前記下部張出部との間に、前記太陽光発電パネルの縁部を挟着状態で固定可能なパネル固定部を設けたことを特徴とする請求項１または請求項２に記載の太陽光発電パネル取付用金具。
【請求項４】
前記下部張出部の前記段差部とは反対側の端部に、上方へ向けて屈曲するフック状部を設けたことを特徴とする請求項１ないし請求項３のいずれか１項に記載の太陽光発電パネル取付用金具。
【請求項５】
前記段差部と前記下部張出部との境界部分に、前記下部張出部よりも下側へ迂回する水逃部を設けたことを特徴とする請求項１ないし請求項４のいずれか１項に記載の太陽光発電パネル取付用金具。
【請求項６】
一対の平行な屋根フレームと、
該一対の屋根フレーム間を塞ぐように設置された屋根葺材と、
前記屋根フレームに沿って複数枚配設された太陽光発電パネルとを備えると共に、
該太陽光発電パネルが、請求項１ないし請求項５のいずれか１項に記載の太陽光発電パネル取付用金具を用いて、前記該屋根葺材の上方に離隔させた状態で、前記屋根フレームに固定されたことを特徴とする屋根パネル。
【請求項７】
建物の上部に対し、請求項６に記載の屋根パネルを複数枚並べて設置して成ることを特徴とする屋根構造。
【発明の詳細な説明】
【技術分野】
【０００１】
この発明は、太陽光発電パネル取付用金具、および、この太陽光発電パネル取付用金具によって太陽光発電パネルが取付けられた屋根パネル、並びに、この屋根パネルを備えた建物の屋根構造に関するものである。
【背景技術】
【０００２】
建物の屋根などに対し、太陽光発電パネルを取付けることが行われている。
そして、建物の屋根に太陽光発電パネルを取付けるのに、各種の金具類が用いられている（例えば、特許文献１〜特許文献４参照）。
【先行技術文献】
【特許文献】
【０００３】
【特許文献１】特開２０００−１１４５７７号公報
【特許文献２】特開２００６−１６７９０号公報
【特許文献３】特開２００７−１２３７３０号公報
【特許文献４】特開２０１３−２２４４号公報
【発明の概要】
【発明が解決しようとする課題】
【０００４】
しかしながら、上記公報の金具類は、既設の屋根に対して、後から太陽光発電パネルを取付けるためのものであるため、屋根の構造や太陽光発電パネルの構造などによって様々な形状や構造のものとなって種類が多く、また、構造や取付け方などについてもそれぞれ異なっているため、かなり複雑な状況になっていた。
【０００５】
そこで、本発明は、上記した問題点を解決し、簡単な構成で屋根に対して確実に太陽光発電パネルを取付けられるようにすることを、主な目的としている。
【課題を解決するための手段】
【０００６】
上記課題を解決するために、本発明は、
屋根を構成する屋根フレームに対して太陽光発電パネルを直接取付けるのに用いられる太陽光発電パネル取付用金具であって、
前記屋根フレームに固定可能な屋根固定部と、
前記太陽光発電パネルの縁部に嵌合係止可能なパネル嵌合部とを有し、
前記屋根フレームの上面に当接可能な上面当接部と、
該上面当接部の端部から前記屋根フレームの内側位置に沿って下方へ延びる段差部と、
該段差部の下端部から前記上面当接部とは反対の側へ延びる下部張出部とを有する金具本体を有し、
前記屋根固定部が、前記上面当接部に設けられ、
前記パネル嵌合部が、前記下部張出部の上面側に設けられると共に、
前記パネル嵌合部が、太陽光発電パネルの縁部を、前記上面当接部とは反対の側には外れないように嵌合係止するものとされたことを特徴とする。
【発明の効果】
【０００７】
本発明によれば、上記構成によって、以下のような作用効果を得ることができる。
即ち、太陽光発電パネル取付用金具は、屋根を構成する屋根フレームに対して太陽光発電パネルを直接取付けるのに用いられる。
この際、太陽光発電パネル取付用金具のパネル嵌合部を太陽光発電パネルに取付け、この太陽光発電パネルを屋根フレームの所定位置にセットし、太陽光発電パネル取付用金具の屋根固定部を屋根フレームに固定することにより、屋根フレームに対して簡単に太陽光発電パネルを取付けることが可能となる。
特に、太陽光発電パネルの縁部にパネル嵌合部を嵌合係止させるだけの簡単な作業によって、太陽光発電パネルに太陽光発電パネル取付用金具を確実に係止保持させることが可能であるので、作業性が良い。
また、太陽光発電パネル取付用金具の金具本体を、上面当接部と段差部と下部張出部とを有する段差形状のものとした。これにより、金具本体の構成を簡略化することができる。
そして、下部張出部の上面側に設けられたパネル嵌合部に太陽光発電パネルの縁部を嵌合係止して、屋根フレームの上面に上面当接部が当接されるように、屋根フレームに対して太陽光発電パネルをセットし、上面当接部に設けられた屋根固定部にて屋根フレームに固定することにより、簡単に太陽光発電パネルの取付けを行うことができる。
しかも、この時、太陽光発電パネルは、段差部によって、上面当接部側への移動を規制されることになるので、太陽光発電パネルをパネル嵌合部から簡単に外れないようにすることができる。
【図面の簡単な説明】
【０００８】
【図１】本発明の実施の形態にかかる、屋根部に太陽光発電パネルを有する屋根パネルが取付けられた建物の斜視図である。
【図２】建物に屋根パネルを取付ける状態を示す部分拡大斜視図である。
【図３】図２における建物と屋根パネルとの取付部分の拡大縦断面図である。
【図４】屋根パネル間にカバー部材を取付ける状態を示す屋根部の部分拡大斜視図である。
【図５】屋根パネルの分解斜視図である。
【図６】太陽光発電パネル取付用金具を示す図である。このうち、（ａ）は側面図、（ｂ）は平面図である。
【図７】屋根パネルに太陽光発電パネル取付用金具を用いて太陽光発電パネルが取付けられた状態を示す部分拡大縦断面図である。
【図８】太陽光発電パネル取付用金具に太陽光発電パネルが取付けられた状態を示す部分拡大縦断面図である。
【図９】太陽光発電パネルの取付手順を示す作動図である。
【図１０】図９に続く作動図である。
【図１１】図１０に続く作動図である。
【図１２】配線部の取り回し状態を示す部分拡大斜視図である。
【発明を実施するための形態】
【０００９】
以下、本実施の形態を、図面を用いて詳細に説明する。
図１〜図１２は、この実施の形態の実施例およびその変形例を説明するためのものである。
【実施例１】
【００１０】
＜構成＞以下、構成について説明する。
図１（〜図４）に示すように、建物１の屋根２などに対して、太陽光発電パネル３を取付ける。そして、建物１の屋根２に太陽光発電パネル３を取付けるのに、図５に示すように、太陽光発電パネル取付用金具４を用いる。
【００１１】
ここで、先ず、太陽光発電パネル取付用金具４を取付ける建物１について簡単に説明する。
【００１２】
この建物１は、この場合、ユニット建物とされている。このユニット建物は、工場で予め製造された建物ユニット６を、トラックなどの輸送手段で建築現場へ複数搬送し、建築現場で複数の建物ユニット６を組み立てることなどによって短期間のうちに構築できるようにしたものである。上記した建物ユニット６は、例えば、鉄骨系ユニットの場合、４本のユニット柱６ａの上端部間を４本の梁材６ｂ（天井梁または屋根梁）で矩形状に連結すると共に、４本のユニット柱６ａの下端部間を４本の梁材（床梁、不図示）で矩形状に連結して成る直方体状のユニットフレームを有するものとされる。このユニットフレームは、ユニット柱６ａと梁材６ｂとの間を溶接によって剛接合されたボックスラーメン構造のものとされる。そして、複数の建物ユニット６によって建物本体８が構成される。但し、建物１は、ユニット建物に限るものではない。
【００１３】
次に、上記建物１の屋根構造（即ち、屋根２の構造）について説明する。
この屋根構造は、図２に示すように、予め工場で製造された屋根パネル９を、上記した建物ユニット６の水平な梁材６ｂ（屋根梁）の上に水平に並設することによって構築するものとされている。この屋根パネル９は、複数並設された建物ユニット６間に跨って延びる長尺物とされている。なお、屋根パネル９の詳細などについては、後述する。
【００１４】
以下、この実施例の太陽光発電パネル取付用金具４について説明する。
【００１５】
（構成１）
図５に示すように、この太陽光発電パネル取付用金具４は、屋根２（屋根パネル９）を構成する屋根フレーム１１に対して太陽光発電パネル３を直接取付けるのに用いられる。
そして、太陽光発電パネル取付用金具４は、図６（〜図８）に示すように、上記屋根フレーム１１に固定可能な屋根固定部１２（図６参照）と、
上記太陽光発電パネル３の縁部１３に嵌合係止可能なパネル嵌合部１４とを有するものとされる。
【００１６】
（補足説明１）
上記した「屋根フレーム１１」については、後述する。
上記した「屋根固定部１２」は、この場合、屋根フレーム１１に形成された取付穴に合致する取付穴とされている。図７に示すように、太陽光発電パネル取付用金具４と屋根フレーム１１とは、屋根固定部１２にて、ボルトｂ１などの固定具によって上下方向に固定される。
【００１７】
上記した「縁部１３」は、太陽光発電パネル３の周縁部のことである。太陽光発電パネル３は、矩形状のパネル本体３ａと、このパネル本体３ａの周縁部に一体的に取付けられた枠状部３ｂと、パネル本体３ａの裏面側に接続された配線部３ｃとを有するものとされている。そして、上記した枠状部３ｂは、パネル本体３ａの周縁部から裏面側へ向けて面直方向に延びる側枠部と、この側枠部の下端部からパネル本体３ａの内方へ向けてパネル本体３ａの面方向へ向けて所要の幅寸法に延びる底枠部と、を有する断面ほぼＬ字状のものとされている。そして、この底枠部の内方縁部が、上記した縁部１３とされている。
【００１８】
その他に、枠状部３ｂの底枠部には、取付穴が形成されている。また、側枠部の上端部には、パネル本体３ａの周縁部を嵌合固定するためのほぼＣ字状をした本体縁部収容部が形成されている。なお、上記した太陽光発電パネル３は、装置製造業者により製造されて、建築業者へ納入されるものである。そして、太陽光発電パネル３の規格や仕様は、装置製造業者によってそれぞれ異なっている。そのため、底枠部の上記した取付穴は、製品（太陽光発電パネル３）ごとに位置や大きさなどがそれぞれ異なるものとされている。
【００１９】
上記した「パネル嵌合部１４」は、この場合、太陽光発電パネル３の縁部１３を差込んで係止させるようにした、係止片とされている。
【００２０】
（構成２）
上記太陽光発電パネル取付用金具４が、上記屋根固定部１２と上記パネル嵌合部１４とを一体に有するものとされる。
【００２１】
（補足説明２）
ここで、上記した「一体に有する」とは、文字通り、屋根固定部１２とパネル嵌合部１４とが、同一の部材上に同時に設けられていることである。
【００２２】
（構成３）
より詳しくは、太陽光発電パネル取付用金具４は、上記屋根フレーム１１の上面に当接可能な上面当接部２１と、
この上面当接部２１の端部から上記屋根フレーム１１の内側位置に沿って下方へ延びる段差部２２と、
この段差部２２の下端部から上記上面当接部２１とは反対の側へ延びる下部張出部２３とを有する金具本体２４を有するものとされる。
そして、このような太陽光発電パネル取付用金具４に対し、上記した屋根固定部１２が、上記上面当接部２１に設けられると共に、
上記したパネル嵌合部１４が、上記下部張出部２３の上面側に設けられるようにする。
更に、上記パネル嵌合部１４が、太陽光発電パネル３の縁部１３を、上記上面当接部２１とは反対の側には外れないように嵌合係止するものとされる。
【００２３】
（補足説明３）
ここで、上記した「上面当接部２１」は、ほぼ水平方向へ向けられた面などとされている。
上記した「段差部２２」は、上面当接部２１の内方端部に設けられて、ほぼ上下方向へ向けられた面、または、上面当接部２１の内方端部から下方へ延びる下方延長部などとされている。
上記した「下部張出部２３」は、ほぼ水平方向へ向けられた面などとされている。
【００２４】
上記した「金具本体２４」は、所要の肉厚を有する短冊状の金属板を、ほぼクランク形状に曲げ形成したようなものとされている。
そして、上記した「パネル嵌合部１４」は、下部張出部２３の張り出し方向のほぼ中間部に対し、太陽光発電パネル３の縁部１３を挿入可能な（肉厚分の）間隔を有して、下部張出部２３と平行に分岐された形状を有するものとされている。そして、このパネル嵌合部１４は、段差部２２の側へ向かって延びるもの、または、段差部２２の側に開いたものとされる。これによって、パネル嵌合部１４は、太陽光発電パネル３の縁部１３を、段差部２２の側から挿入するものなどとなる。
このパネル嵌合部１４は、下部張出部２３に切起し加工を施すことによって一体に形成することもできるし、または、下部張出部２３とは別部材で構成して、下部張出部２３に接合するようにして形成することもできる。この場合には、後者とされている。
【００２５】
（構成４）
上記パネル嵌合部１４と、上記下部張出部２３との間に、上記太陽光発電パネル３の縁部１３を挟着状態で固定可能なパネル固定部３１を設ける。
【００２６】
（補足説明４）
ここで、上記した「パネル固定部３１」は、太陽光発電パネル３の底枠部に形成された取付穴に合致する取付穴とされている。パネル固定部３１は、パネル嵌合部１４や、下部張出部２３に設けられる。但し、パネル固定部３１は、太陽光発電パネル３底枠部の取付穴と同じ大きさである必要はない。そして、図８に示すように、パネル固定部３１およびパネル嵌合部１４によって挟着保持された太陽光発電パネル３の底枠部は、パネル固定部３１にて、リベットｒや、ボルト・ナットなどの固定具を用いて上下方向に固定される。
【００２７】
（構成５）
上記下部張出部２３の上記段差部２２とは反対側の端部に、上方へ向けて屈曲するフック状部４１を設ける。
【００２８】
（補足説明５）
ここで、上記した「フック状部４１」は、上記した下部張出部２３における、上記パネル嵌合部１４よりも端部側の部分に、上記した配線部３ｃを載置状態で通すのに必要な配線スペースを有して設けられる。このフック状部４１は、配線部３ｃの直径とほぼ等しいか、または、それ以上の高さに形成される。
【００２９】
（構成６）
上記段差部２２と上記下部張出部２３との境界部分に、上記下部張出部２３よりも下側へ迂回する水逃部５１を設ける。
【００３０】
（補足説明６）
ここで、上記した「水逃部５１」は、側方から見て、ほぼＵ字状の凹み部などとされる。
【００３１】
以上が、太陽光発電パネル取付用金具４の構成である。そして、以下に、上記した屋根パネル９のより詳しい構成について説明する。
【００３２】
（構成７）
図５または図７に示すように、この屋根パネル９は、上記一対の平行な屋根フレーム１１と、
この一対の屋根フレーム１１間を塞ぐように設置された屋根葺材６１と、
上記屋根フレーム１１に沿って複数枚配設された太陽光発電パネル３とを備えたものとされる。
そして、この太陽光発電パネル３が、上記した太陽光発電パネル取付用金具４を用いて、上記屋根葺材６１の上方に離隔させた状態で（図７の間隔６２参照）、上記屋根フレーム１１に固定される。
【００３３】
（補足説明７）
ここで、上記した「屋根フレーム１１」は、上下のフランジ部と、両フランジ部間を連結するウェブ部とを有する断面ほぼＣ字状をした金属製の枠材によって構成される。上下のフランジ部は、上側が短く、下側が長くなるように構成されている。一対の屋根フレーム１１は、それぞれＣ字状の開口部分が内側へ向くように設置される。
【００３４】
上記した「屋根葺材６１」は、例えば、溶融アルミニウムメッキ鋼板などによって構成される。屋根葺材６１は、平坦な面部６１ａの両側部に、上方へ向けて立ち上がる立上部６１ｂと後述するフレーム被覆用縁部６７とを一体に有するほぼ逆ハット形状のものとされている。
【００３５】
そして、一対の平行な屋根フレーム１１の内側部間には、屋根フレーム１１の長手方向に沿って勾配を有するガイド部６４が形成され、上記屋根葺材６１は、勾配を有するガイド部６４の上部に、ガイド部６４に沿って取付けられることにより（所要の排水）勾配を有するものとされる。なお、屋根葺材６１とガイド部６４との間には、ポリエチレンルーフィングなどの防水シートが介在される。
【００３６】
上記したガイド部６４は、屋根フレーム１１の内面に斜めに取付けられた木桟などの支持材６５と、この支持材６５の上面に取付けられた斜めの野地板（下地板６６）とによって構成される。屋根フレーム１１（のウェブ部）と支持材６５との間は、ネジｂ２（図７参照）などによって左右方向に固定される。
【００３７】
更に、一対の屋根フレーム１１間を連続して塞ぐ面状の屋根葺材６１には、その両側部（立上部６１ｂの上端部）に、一対の屋根フレーム１１（の上側のフランジ部）の上面に載置される屈曲したフレーム被覆用縁部６７が設けられる。屋根フレーム１１（の上側のフランジ部）と屋根葺材６１のフレーム被覆用縁部６７との間は、ネジｂ３（図７参照）などによって上下方向に固定される。
【００３８】
以上が、屋根パネル９の構成である。そして、以下に、屋根構造について説明する。
【００３９】
（構成８）
この屋根構造は、図２に示すように、建物１（建物本体８）の上部に対し、上記した屋根パネル９を複数枚並べて設置して成るものとされる。
【００４０】
（補足説明８）
このような構造の屋根パネル９は、上記した建物ユニット６の梁材６ｂ（屋根梁）の上面に対して屋根フレーム１１を接合することによって取付けられる。建物ユニット６の梁材６ｂと屋根フレーム１１との接合は、梁材６ｂに設けられた取付穴と、屋根フレーム１１の下側のフランジ部に設けられた取付穴との間を、ボルトｂ６、ナットなどの固定具で上下方向に締結することによって行われる。
【００４１】
また、図３に示すように、隣接する屋根パネル９間は、吹上防止金具７１によって連結される。この吹上防止金具７１は、隣接する屋根パネル９において互いに隣接する一対の屋根フレーム１１のうち、一方の屋根フレーム１１の外側面と他方の屋根フレーム１１の上面との間に取付けられるものとされる。
【００４２】
この吹上防止金具７１は、一方の屋根フレーム１１の外側面（ウェブ部）に取付可能な縦面部と、他方の屋根フレーム１１の上面（上側のフランジ部）に取付可能な横面部と、を有する側面視Ｌ字状のものとされる。この吹上防止金具７１は、予め、工場で縦面部を一方の屋根フレーム１１の外側面（ウェブ部）に対しネジｂ４で横方向に取付られ、建築現場で、横面部を他方の屋根フレーム１１の上面（上側のフランジ部）にネジｂ５で上下方向に固定されるものである。
【００４３】
そして、吹上防止金具７１によって連結された隣接する屋根パネル９の、隣接する一対の屋根フレーム１１の上面間には、図４に示すように、これらを覆うようにカバー部材７２が取付けられる。
【００４４】
＜作用＞以下、この実施例の作用について説明する。
図９〜図１２は、工場での太陽光発電パネル３の取付手順を示すものである。先ず、図９に示すように、裏返しにした太陽光発電パネル３の縁部１３に、太陽光発電パネル取付用金具４を取付ける。この場合には、太陽光発電パネル３の縁部１３の両側部における、各コーナー部に近い４箇所の取付穴が設けられた位置に、太陽光発電パネル取付用金具４を取付けるようにしている。
【００４５】
次に、図１０に示すように、太陽光発電パネル３を表側に向けて、予め屋根葺材６１
が取付けられた一対の屋根フレーム１１間に設置し、ボルトｂ１で屋根フレーム１１に取付ける。
【００４６】
この際、例えば、図１１に示すように、一方の屋根フレーム１１に一側部を支持させた状態で太陽光発電パネル３の他側部を持ち上げて、配線部３ｃが現れるようにし、図１２に示すように、配線部３ｃを太陽光発電パネル取付用金具４におけるフック状部４１の内側に位置させるようにして、配線部３ｃの取り回しを行う。
【００４７】
＜効果＞この実施例によれば、以下のような効果を得ることができる。
（作用効果１）
上記した太陽光発電パネル取付用金具４は、屋根２を構成する屋根フレーム１１に対して太陽光発電パネル３を直接取付けるのに用いられる。
この際、太陽光発電パネル取付用金具４のパネル嵌合部１４を太陽光発電パネル３に取付け、この太陽光発電パネル３を屋根フレーム１１の所定位置にセットし、太陽光発電パネル取付用金具４の屋根固定部１２を屋根フレーム１１に固定することにより、屋根フレーム１１に対して簡単に太陽光発電パネル３を取付けることが可能となる。
特に、太陽光発電パネル３の縁部１３にパネル嵌合部１４を嵌合係止させるだけの簡単な作業によって、太陽光発電パネル３に太陽光発電パネル取付用金具４を確実に係止保持させることが可能であるので、作業性が良い。
【００４８】
（作用効果２）
この太陽光発電パネル取付用金具４は、基本的に、屋根固定部１２とパネル嵌合部１４とを一体に有する簡単な構成のものとされているので、小型化および構造簡略化が可能であり、その他の機能を持たせるのも容易である。
【００４９】
（作用効果３）
そして、太陽光発電パネル取付用金具４の金具本体２４を、上面当接部２１と段差部２２と下部張出部２３とを有する段差形状のものとした。これにより、金具本体２４の構成を簡略化することができる。
そして、下部張出部２３の上面側に設けられたパネル嵌合部１４に太陽光発電パネル３の縁部１３を嵌合係止して、屋根フレーム１１の上面に上面当接部２１が当接されるように、屋根フレーム１１に対して太陽光発電パネル３をセットし、上面当接部２１に設けられた屋根固定部１２にて屋根フレーム１１に固定することにより、簡単に太陽光発電パネル３の取付けを行うことができる。
しかも、この時、太陽光発電パネル３は、段差部２２によって、上面当接部２１側への移動を規制されることになるので、太陽光発電パネル３をパネル嵌合部１４から簡単に外れないようにすることができる。
【００５０】
（作用効果４）
パネル嵌合部１４と、上記下部張出部２３との間に、上記太陽光発電パネル３の縁部１３を挟着状態で固定可能なパネル固定部３１を設けた。これにより、太陽光発電パネル３の縁部１３を嵌合係止した状態で確実に挟着固定することが可能となる。この際、パネル嵌合部１４が太陽光発電パネル３の縁部１３に対する裏当材として機能するので、太陽光発電パネル３の縁部１３に予め設けられている取付穴の穴径に拘わらず、太陽光発電パネル３の縁部１３を安定して固定することが可能となる。
【００５１】
（作用効果５）
下部張出部２３の端部に上方へ向けて屈曲するフック状部４１を設けた。これにより、例えば、下部張出部２３の上を配線が通るように施工するだけで、フック状部４１が、配線を下部張出部２３から脱落し難くするので、配線を容易且つ確実に取り回すことができる。
しかも、下部張出部２３の端部にフック状部４１を形成するだけの簡単な構成で、太陽光発電パネル取付用金具４に配線の取り回し機能を持たせることができる。
【００５２】
（作用効果６）
段差部２２と下部張出部２３との境界部分に水逃部５１を設けた。そのため、屋根フレーム１１と太陽光発電パネル３との間から入り込んだ雨水などが、下部張出部２３よりも下側へ迂回する水逃部５１へと積極的に導かれることとなり、その分、下部張出部２３の側への雨水の入り込みが抑えられるので、水逃部５１を設けない場合と比べて下部張出部２３を濡れ難い状態に保つことができる。これにより、下部張出部２３の上面側に配索されている配線などを雨水から保護することができる。
しかも、段差部２２と下部張出部２３との境界部分に水逃部５１を設けるだけの簡単な構成で、太陽光発電パネル取付用金具４に配線などを雨水から保護する機能を持たせることができる。
【００５３】
（作用効果７）
上記した屋根パネル９によれば、上記と同様の作用効果を得ることができる。
【００５４】
（作用効果８）
上記した屋根構造によれば、上記と同様の作用効果を得ることができる。
【００５５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５６】
１  建物
２  屋根
３  太陽光発電パネル
４  太陽光発電パネル取付用金具
９  屋根パネル
１１  屋根フレーム
１２  屋根固定部
１３  縁部
１４  パネル嵌合部
２１  上面当接部
２２  段差部
２３  下部張出部
２４  金具本体
３１  パネル固定部
４１  フック状部
５１  水逃部
６１  屋根葺材
【要約】
【課題】主に、簡単な構成で屋根フレームに確実に太陽光発電パネルを取付けられるようにする。
【解決手段】屋根２を構成する屋根フレーム１１に対して、太陽光発電パネル３を直接取付けるのに用いられる太陽光発電パネル取付用金具４に関する。
この太陽光発電パネル取付用金具４が、上記屋根フレーム１１に固定可能な屋根固定部１２と、
上記太陽光発電パネル３の縁部１３に嵌合係止可能なパネル嵌合部１４とを有するものとされる。
【選択図】図６【図１】
0005584810.tif 000002
【図２】
0005584810.tif 000003
【図３】
0005584810.tif 000004
【図４】
0005584810.tif 000005
【図５】
0005584810.tif 000006
【図６】
0005584810.tif 000007
【図７】
0005584810.tif 000008
【図８】
0005584810.tif 000009
【図９】
0005584810.tif 000010
【図１０】
0005584810.tif 000011
【図１１】
0005584810.tif 000012
【図１２】
0005584810.tif 000013